(57)【要約】【課題】通信方式の異なる複数の通信網に対し、ダイアルアップ通信の継続、音声通信の常時通信を実現する携帯電話機を提供する。【解決手段】携帯電話機１の通信路構築手段１１が外部機器３からのダイアルアップ接続により通信方式の異なる複数の通信網２の種別を判断してダイアルアップ通信用のアクティベーション処理を変え、携帯電話機１がＬＴＥ網２１に在圏した場合には携帯電話機１とＬＴＥ網２１とを接続する通信路がマルチＰＤＮ通路状態とされた後に先行した確立していたＰＤＮ通路が開放され、携帯電話機１がＷＣＤＭＡ網２２に在圏した場合には先行した確立していたシングルＰＤＰ通路が開放された後にダイアルアップ接続が行われて携帯電話機１とＷＣＤＭＡ網２２との接続がシングルＰＤＰ通路状態になり、ダイアルアップ通信の継続、音声通信の常時通信が実現できる。【選択図】図１
2019186803.tif 000002
【特許請求の範囲】
【請求項１】
通信方式の異なる複数の通信網に接続可能な携帯電話機であって、外部機器からのダイアルアップ接続により前記通信方式の異なる複数の通信網の種別を判断してダイアルアップ通信用のアクティベーション処理を変える通信路構築手段を備えたことを特徴とする通信方式の異なる複数の通信網に接続可能な携帯電話機。
【請求項２】
前記通信方式の異なる複数の通信網がＬＴＥ網とＷＣＤＭＡ網とからなり、前記携帯電話機が前記ＬＴＥ網に在圏した場合には、前記携帯電話機と前記ＬＴＥ網とを接続する通信路がマルチＰＤＮ通路状態とされた後に、先行した確立していたＰＤＮ通路が開放される一方、前記携帯電話機が前記ＷＣＤＭＡ網に在圏した場合には、先行した確立していたシングルＰＤＰ通路が開放された後に前記ダイアルアップ接続が行われて前記携帯電話機と前記ＷＣＤＭＡ網との接続がシングルＰＤＰ通路状態になることを特徴とする請求項１記載の通信方式の異なる複数の通信網に接続可能な携帯電話機。
【発明の詳細な説明】
【技術分野】
【０００１】
本発明は、通信方式の異なる複数の通信網に接続可能な携帯電話機に関し、特に、携帯電話機と通信方式の異なる複数の通信網とを接続する通信路の構築に関する。
【背景技術】
【０００２】
特許文献１では、通信方式の異なる複数の通信網としてＬＴＥ網と３Ｇ網とを例示し、携帯電話機がＬＴＥ網から３Ｇ網にハンドオーバーする場合に通信可能状態にすることが開示されている。
【０００３】
ＬＴＥ網は、音声とデータとをパケット交換方式で送信する通信網であり、携帯電話機とＬＴＥ網との間で２つ以上の通信路を形成するマルチＰＤＮ（ＰＤＮはPacket Data Networkの略号）通路状態を前提として設計された通信網である。３Ｇ網は、音声を回線交換方式で送信しデータをパケット交換方式で送信する通信網であり、携帯電話機と通信網との間でデータ通信用として１つの通信路だけを形成するシングルＰＤＰ（ＰＤＰはPacket Data Protocolの略語）通路状態を前提として設計された通信網である。また、３Ｇの範疇に入るＷＣＤＭＡ（登録商標）網は、データをマルチＰＤＰ通路状態非サポートのシングルＰＤＰ通路で動作する通信網である。
【０００４】
ＬＴＥ網において携帯電話機が外部機器からのダイアルアップ接続によるデタッチからアタッチで携帯電話機とＬＴＥ網とを互いに接続する通信路をシングルＰＤＮ通路状態で動作するように構築した場合、上記デタッチからアタッチまでのシーケンス期間は携帯電話機がＬＴＥ網に対して圏外状態になり音声通信が行えない。また、ＬＴＥ網において携帯電話機が外部機器からのダイアルアップ接続によりデタッチからアタッチで携帯電話機とＬＴＥ網とを互いに接続する通信路をマルチＰＤＮ通路状態となるように構築した場合、携帯電話機がＬＴＥ網から３Ｇ網へのハンドオーバー時にＷＣＤＭＡ網のシングルＰＤＰ通路状態の制約によりダイアルアップ接続が継続できない。
【先行技術文献】
【特許文献】
【０００５】
【特許文献１】特開２０１２−９０００８号公報
【発明の概要】
【発明が解決しようとする課題】
【０００６】
本発明は、上記背景技術に鑑みてなされたものであり、通信方式の異なる複数の通信網に対し、ダイアルアップ通信の継続、音声通信の常時通信を実現する携帯電話機の提供を目的とする。
【課題を解決するための手段】
【０００７】
本発明は、通信方式の異なる複数の通信網に接続可能な携帯電話機であって、外部機器からのダイアルアップ接続により前記通信方式の異なる複数の通信網の種別を判断してダイアルアップ通信用のアクティベーション処理を変える通信路構築手段を備えたことを特徴とする。
【発明の効果】
【０００８】
本発明は、外部機器からのダイアルアップ接続により通信方式の異なる複数の通信網の種別を判断してダイアルアップ通信用のアクティベーション処理を変えるので、前記ダイアルアップ動作時でも音声通信の常時接続を可能とし、ＬＴＥ網からＷＣＤＭＡ網へのハンドオーバー時もダイアルアップ接続を継続させる音声通信の常時着信を実現することができる。
【図面の簡単な説明】
【０００９】
【図１】発明を実施するための形態に係る携帯電話機と通信方式の異なる複数の通信網とを接続する通信路の構築を示す模式図。
【図２】発明を実施するための形態に係る携帯電話機と通信方式の異なる複数の通信網とを接続する通信路の構築の処理を示すフローチャート。
【図３】発明を実施するための形態に係る携帯電話機とＬＴＥ網とを接続する通信路の構築の順序を示すシーケンス図。
【図４】発明を実施するための形態に係る携帯電話機とＷＣＤＭＡ網とを接続する通信路の構築の順序を示すシーケンス図。
【発明を実施するための形態】
【００１０】
図１を用いて、発明を実施するための形態に係る携帯電話機１と通信方式の異なる複数の通信網２とを接続する通信路の構築について説明する。図１において、携帯電話機１は、スマートフォンにより構成され、通信路構築手段１１を備える。通信路構築手段１１は、携帯電話機１にコンピュータプログラムとして格納された通信路構築ソフトウエアにより具現化される。
【００１１】
通信路構築手段１１は、外部機器３から携帯電話機１に入力されたダイアルアップ接続要求の信号により通信方式の異なる複数の通信網２の種別を判断しその判断した種別に応じてダイアルアップ通信用のアクティベーション処理を変えることで携帯電話機１と通信方式の異なる複数の通信網２とを互いに接続する通信路を構築する。外部機器３としては通信方式の異なる複数の通信網２との通信手段を有していないハンディーターミナルを適用し、ハンディーターミナルのデータを通信方式の異なる複数の通信網２を経由してサーバと通信することが考えられる。
【００１２】
通信方式の異なる複数の通信網２としては、例えば、ＬＴＥ網２１とＷＣＤＭＡ網２２とから構成された場合を例示した。ＬＴＥ網２１は、音声とデータとをパケット交換方式で送信する通信網であり、携帯電話機１とＬＴＥ網２１との間で２つ以上の通信路を形成するマルチＰＤＮ通路状態を前提として設計された通信網である。ＷＣＤＭＡ網２２は、３Ｇの範疇に入る通信網であり、データをマルチＰＤＰ通路状態非サポートのシングルＰＤＰ通路状態で動作する通信網である。
【００１３】
図２を用いて、発明を実施するための形態に係る携帯電話機１における携帯電話機１と通信方式の異なる複数の通信網２とを接続する通信路を構築する処理について説明する。ステップ２０１において、携帯電話機１に外部機器３からダイアルアップ接続要求の信号が入力されたかを判断する。ダイアルアップ接続要求の信号が携帯電話機１に入力されなければ、ステップ２０１がＮＯとなり、ステップ２０１に戻る。ダイアルアップ接続要求の信号が携帯電話機１に入力されると、ステップ２０１がＹＥＳとなり、ステップ２０２に進む。
【００１４】
ステップ２０２において、携帯電話機１がＬＴＥ網２１に在圏しているかを判断する。携帯電話機１がＬＴＥ網２１に在圏している場合は、ステップ２０２がＹＥＳとなり、ステップ２０３に進む。ステップ２０３では、携帯電話機１とＬＴＥ網２１とを接続する通信路がマルチＰＤＮ通路状態とされた後に、先行した確立していたＰＤＮ通路が開放される。
【００１５】
つまり、ステップ２０１と２０２及び２０３の処理の結果として、外部機器２３からダイアルアップ接続要求の信号が携帯電話機１に入力され、携帯電話機１がＬＴＥ網２１に在圏していると、携帯電話機１とＬＴＥ網２１とを互いに接続する通信路がマルチＰＤＮ通路状態とされた後に、先行した確立していたＰＤＮ通路が開放されるので、音声通信が常に可能になる。
【００１６】
また、前記ステップ２０２での判断において携帯電話機１がＬＴＥ網２１に在圏していない場合は、ステップ２０２がＮＯとなり、ステップ２０４に進む。ステップ２０４では、携帯電話機１がＷＣＤＭＡ網２２に在圏しているかを判断する。携帯電話機１がＷＣＤＭＡ網２２に在圏している場合は、ステップ２０４がＹＥＳとなり、ステップ２０５に進む。ステップ２０５では、携帯電話機１とＷＣＤＭＡ網２２とを接続するように先行して確立していたシングルＰＤＰ通路が開放された後にダイアルアップ接続が行われる。
【００１７】
つまり、ステップ２０１と２０２と２０４及び２０５の処理の結果として、携帯電話機１がＬＴＥ網２１からＷＣＤＭＡ網２２にハンドオーバーした際のダイアルアップ接続が維持可能なシングルＰＤＰ通路を実現できる。
【００１８】
尚、前記ステップ２０４での判断において携帯電話機１がＷＣＤＭＡ網２２に在圏していない場合は、携帯電話機１がＬＴＥ網２１とＷＣＤＭＡ網２２との両方の通信網に接続不可能な圏外の状態にあるので、携帯電話機１と通信方式の異なる複数の通信網２とを接続する通信路の構築処理を終わる。
【００１９】
図３を用いて、発明を実施するための形態に係る携帯電話機１とＬＴＥ網２１とを接続する通信路の構築の順序を示すシーケンスについて説明する。図３では、ダイアルアップ接続要求の入力よりも前の時点において、点線で示した通信路３０１および３０２が携帯電話機１とＬＴＥ網２１との相互の接続をダイアルアップ接続要求よりも先行して確立している状態である。
【００２０】
そして、外部機器３が通信路３０３を経由してダイアルアップ接続要求（Dialup接続要求と同義語）の信号を携帯電話機１に出力する。外部機器３から出力されたダイアルアップ接続要求の信号を受信した携帯電話機１が携帯電話機１とＬＴＥ網２１とを互いに接続する通信路３０４および３０５を構築する。この通信路３０３および３０４の構築により、携帯電話機１とＬＴＥ網２１との接続がマルチＰＤＮ通路状態となり、携帯電話機１が通信路３０４を経由してＰＤＮ接続要求（PDN Connectivity Requestと同義語）の信号をＬＴＥ網２１に出力する。
【００２１】
前記携帯電話機１から出力されたＰＤＮ接続要求の信号を受信したＬＴＥ網２１が通信路３０５を経由してデフォルトＥＰＳベアラコンテキスト要求を有効にする（Activate Default EPS Bearer Context Requestと同義語）の信号を携帯電話機１に出力する。このように携帯電話機１とＬＴＥ網２１とが互いに通信路３０１及び３０２並びに３０４及び３０５で接続されて信号の相互通信が行われたマルチＰＤＮ通路状態となった後に、携帯電話機１とＬＴＥ網２１とが点線で示した先行して確立していた通信路３０１及び３０２を別々に経由してＰＤＮ切断要求（PDN Disconnect Requestと同義語）の信号及びデフォルトのＥＳＰベアラコンテキスト要求を無効にする（Deactivate Default EPS Bearer Context Requestと同義語）の信号との相互通信が行われて通信路３０１及び３０２が開放される。
【００２２】
以上のように、携帯電話機１がＬＴＥ網２１内においてダイアルアップ接続を行う場合、携帯電話機１とＬＴＥ網２１との間の接続状態が通信路３０１と３０２と３０４及び３０５からなるマルチＰＤＮ通路状態になった後に、先行して確立していた通信路３０１と３０２からなるＰＤＮ通路を開放するので、音声通信が常に接続された状態になる。
【００２３】
図４を用いて、発明を実施するための形態に係る携帯電話機１とＷＣＤＭＡ網２２とを接続する通信路の構築の順序を示すシーケンスについて説明する。図４では、点線で示した通信路４０１および４０２が携帯電話機１とＷＣＤＭＡ網２２との相互の接続をダイアルアップ接続要求の入力よりも前の時点に先行して確立している状態である。
【００２４】
そして、携帯電話機１が点線で示した先行して確立していた通信路４０１及び４０２を別々に経由してＰＤＰコンテキスト要求を無効にする（Deactivate PDP Context Requestと同義語）の信号及びＰＤＰコンテキスト受入を無効にする（Deactivate PDP Context Acceptと同義語）の信号との相互通信が行われて通信路４０１及び４０２が開放された後に、ダイアルアップ接続が行なわれる。
【００２５】
つまり、外部機器３が通信路４０３を経由してダイアルアップ接続要求の信号を携帯電話機１に出力すると、このダイアルアップ接続要求の信号を受信した携帯電話機１が通信路４０１及び４０２を開放した後に携帯電話機１とＷＣＤＭＡ網２２とを互いに接続する通信路４０４および４０５を構築する。この通信路４０４および４０５の構築により、携帯電話機１とＷＣＤＭＡ網２２との接続がシングルＰＤＰ通路状態となり、携帯電話機１が通信路４０４及び４０５を個別に経由してＰＤＰコンテキスト要求を有効にする（Activate PDP Context Requestと同義語）の信号とＰＤＰコンテキスト受入を有効にする（Activate PDP Context Accept）の信号をＷＣＤＭＡ網２２に出力する。
【００２６】
以上のように、携帯電話機１がＷＣＤＭＡ網２２内においてダイアルアップ接続を行う場合、携帯電話機１とＷＣＤＭＡ網２２との間に先行して確立していた通信路４０１と４０２からなるシングルＰＤＰ通路を開放した後にダイアルアップ接続を行うので、携帯電話機１がＬＴＥ網２１からＷＣＤＭＡ網２２にハンドオーバーした際もダイアルアップ接続が可能なシングルＰＤＰ通路状態を実現できる。
【符号の説明】
【００２７】
１    携帯電話機
２    通信方式の異なる複数の通信網
３    外部機器
１１  通信路構築手段
２１  ＬＴＥ網
２２  ＷＣＤＭＡ網
【図１】
2019186803.tif 000003
【図２】
2019186803.tif 000004
【図３】
2019186803.tif 000005
【図４】
2019186803.tif 000006